(57)【要約】【課題】  記録ディスクメディアの枚数を変更する場合でもカートリッジケース全体を交換する必要がなく、製作コストを低減できるようにする。【解決手段】  シャッタプレート５１ｂの下端側を下ロータ５１の下側シャッタ溝５１ｇ内に嵌合するとともに、シャッタプレート５１ｂの上端側を上ロータ５２の上側シャッタ溝５２ｂ内に嵌合する。また、側壁部材１３の嵌合凸部を下プレート１０に設けた嵌合凹溝に嵌合する。これにより、最小限の部品変更で磁気ディスクメディア４１の積層高さに対応したカートリッジケース２を構成する。【選択図】      図１
2006092699.tif 000002
【特許請求の範囲】
【請求項１】
フレキシブルな複数の記録ディスクメディアをカートリッジケース内に一体回転可能に収納した記録ディスクカートリッジであって、
前記カートリッジケースは、前記記録ディスクメディアに平行な下壁を構成する下プレートと、前記下プレートの上に積層され固定されて前記複数の記録ディスクメディアを仕切る複数のインナプレートと、前記インナプレートの上に積層され固定されて前記カートリッジケースの上壁を構成する上プレートと、これらの下プレート、インナプレート、および上プレートにより構成される側部の一部に形成された開口部と、を備え、
前記下プレートの内面側に回動可能に支持された下ロータと、前記上プレートの内面側に回動可能に支持された上ロータと、前記記録ディスクメディアの積層高さに対応した高さに形成され前記上ロータおよび前記下ロータと係合して設けられて、前記開口部を開閉するシャッタプレートとを備えることを特徴とする記録ディスクカートリッジ。
【請求項２】
下端側が前記下プレートの周縁部に所定範囲にわたって係合して設けられ、上端側が前記上プレートの周縁部に所定範囲にわたって係合して設けられ、前記インナプレートの積層高さに対応した高さに形成された少なくとも一つの側壁部材を備えることを特徴とする請求項１に記載の記録ディスクカートリッジ。
【発明の詳細な説明】
【技術分野】
【０００１】
本発明は、フレキシブルな記録ディスクメディアを複数備えた記録ディスクカートリッジに関する。
【背景技術】
【０００２】
従来、ポリエステルシートなどのフレキシブルな素材からなる円盤状の支持体の両面に磁性層を形成したフレキシブルな磁気ディスクメディアが知られている。この磁気ディスクメディアは、磁気テープに比べるとデータへのアクセスが速いというメリットがある一方で、記録面積が小さいことから記憶容量が小さいというデメリットがある。
【０００３】
このようなフレキシブルな磁気ディスクメディアのデメリットを解決するため、従来、一つのカートリッジケースに複数枚の磁気ディスクメディアを収納した磁気ディスクカートリッジが開示されている（例えば、特許文献１参照）。
【０００４】
ところで、フレキシブルな磁気ディスクメディアは、メディア自身の剛性が低いため、回転させると記録面に垂直な方向に振れやすいという問題がある。そのため、前記した特許文献１に記載の発明においては、各磁気ディスクメディアをシャッタにより挟んだ構成としている。このように磁気ディスクメディアの近傍に剛性が高いシャッタなどの板部材を配置することにより、磁気ディスクメディアが回転にともない板部材に沿うので、記録面を安定させることができる。
【特許文献１】特開２００４−２２０１１号公報（段落００１１〜００３０、図３）
【発明の開示】
【発明が解決しようとする課題】
【０００５】
しかしながら、前記した特許文献１の磁気ディスクカートリッジは、カートリッジケースに収納する磁気ディスクメディアの枚数を変える必要がある場合、その都度第１のシェルハーフおよび第２のシェルハーフからなるハウジングを磁気ディスクメディアの枚数に応じた厚みを有する他のハウジングと交換せざるを得ず、ハウジングの製作コストがかかるという問題がある。
【０００６】
このような背景に鑑みて本発明がなされたのであり、本発明は、記録ディスクメディアの枚数を変更する場合でも最小限の部品の変更で構成できるようにした記録ディスクカートリッジを提供することを目的とする。
【課題を解決するための手段】
【０００７】
前記した課題を解決するため、本発明の記録ディスクカートリッジは、フレキシブルな複数の記録ディスクメディアをカートリッジケース内に一体回転可能に収納した記録ディスクカートリッジであって、前記カートリッジケースは、前記記録ディスクメディアに平行な下壁を構成する下プレートと、前記下プレートの上に積層され固定されて前記複数の記録ディスクメディアを仕切る複数のインナプレートと、前記インナプレートの上に積層され固定されて前記カートリッジケースの上壁を構成する上プレートと、これらの下プレート、インナプレート、および上プレートにより構成される側部の一部に形成された開口部と、を備え、前記下プレートの内面側に回動可能に支持された下ロータと、前記上プレートの内面側に回動可能に支持された上ロータと、前記記録ディスクメディアの積層高さに対応した高さに形成され前記上ロータおよび前記下ロータと係合して設けられて、前記開口部を開閉するシャッタプレートとを備えることを特徴としている。
【０００８】
このような構成により、シャッタプレートを上ロータおよび下ロータに対して係合可能に取り付けることができる。従って、高さ方向の寸法が異なるシャッタプレートを予め複数用意しておくことにより、インナプレートの枚数を変更する場合には、シャッタプレートを高さの異なる別のシャッタプレートに変更するだけで、記録ディスクメディアの積層高さに対応したカートリッジケースを構成することができる。
【０００９】
また、前記した記録ディスクカートリッジにおいては、下端側が下プレートの周縁部に所定範囲にわたって係合して設けられ、上端側が上プレートの周縁部に所定範囲にわたって係合して設けられ、インナプレートの積層高さに対応した高さに形成された少なくとも一つの側壁部材を備えて構成することもできる。
【００１０】
このような構成により、側壁部材を上プレートまたは下プレートとは別個に設ける場合に、高さ方向の寸法が異なる側壁部材を予め複数用意しておくことにより、側壁部材およびシャッタプレートを交換するだけで、収納する記録ディスクメディアの積層高さに対応したカートリッジケースを構成できる。
【発明の効果】
【００１１】
本発明によれば、シャッタプレートのみを交換するだけで、記録ディスクメディアの積層高さに対応したカートリッジケースを構成することができる。しかも、最小限の部品変更で記録ディスクメディアの積層高さに対応したカートリッジケースを構成することができる。
【発明を実施するための最良の形態】
【００１２】
次に、本発明の実施形態について、適宜図面を参照しながら詳細に説明する。本実施形態においては、記録ディスクメディアの一例として磁気ディスクメディアを採用した場合について説明する。
【００１３】
図１は、一実施形態に係る磁気ディスクカートリッジの分解斜視図であり、図２は、一実施形態に係る磁気ディスクカートリッジの外観斜視図の（ａ）シャッタを閉じた状態、および（ｂ）シャッタを開けた状態を示している。図３は、高さ方向の寸法が互いに異なるシャッタプレートの斜視図であり、図４は、高さ方向の寸法が互いに異なる側壁部材の斜視図を示している。図５は、下ロータおよびシャッタプレートを示す分解斜視図であり、図６は、下プレートおよび側壁部材を示す分解斜視図である。図７は、インナプレートを９枚積み重ねた状態を示す斜視図であり、図８は、上プレートの内面を示す斜視図である。図９は、磁気ディスクドライブに装填した磁気ディスクカートリッジの図２（ｂ）におけるIX−IX断面図であり、図１０は、図９の部分拡大図である。図１１は、磁気ディスクメディアの積層構造を示す分解斜視図である。なお、以下の説明において、上下は、磁気ディスクカートリッジの典型的な使用状態を基準とし、便宜上磁気ディスクメディアの面に垂直な方向を上下と称する。
【００１４】
図１に示すように、記録ディスクカートリッジの一例である磁気ディスクカートリッジ１は、下壁を構成する下プレート１０と、複数枚、例えば４枚のインナプレート２０と、上壁を構成する上プレート３０とを順に積層し、これらを４つのネジ９１で締結して固定することでカートリッジケース２（図２（ａ）参照）が構成されている。そして、下プレート１０とインナプレート２０の間、インナプレート２０同士の間、およびインナプレート２０と上プレート３０の間のそれぞれには磁気ディスクメディア４１が配置されている。磁気ディスクメディア４１は中央に開口部４１ａを有する円盤形状であり、開口部４１ａの縁に金属製のセンタコア４２が貼り付けられている。そして、センタコア４２同士がスペーサ４３，４３′により係合して５枚の磁気ディスクメディア４１（この積層・一体化された磁気ディスクメディア４１をディスクスタック４０とする）を一体に回転するようになっている。
【００１５】
各インナプレート２０は、平板状の主プレート２１の外周縁に上下のプレートと当接するリブ２２が形成されている。インナプレート２０の図１における右手前側の一部は、磁気ヘッド６３（図２参照）が磁気ディスクメディア４１上に移動しやすいように切欠２３を形成している。この切欠２３の部分は、前記したリブ２２が形成されておらず、そのためインナプレート２０を積み重ねると、図２（ａ）に示すようにカートリッジケース２の側面に開口部３が形成される。
【００１６】
この開口部３は、ディスクスタック４０と同軸に回動するシャッタ４により開閉される。シャッタ４は、図１に示すように下ロータ５１と上ロータ５２とを組み合わせることにより構成されている。
【００１７】
次に、各部材についてより詳細に説明する。
下プレート１０は、主として略正方形の主プレート１１の外周縁に、インナプレート２０のリブ２２の下面側と当接するリブ１２が形成されている。また、主プレート１１の図１および図６中の手前側には、左右２つの長溝からなる嵌合凹溝１１ｃ，１１ｄが形成されている。
【００１８】
ここで、側壁部材１３は、Ｌ字状に屈曲した板状部材からなり、第１の平板部１３ｂと、平板部１３ｂの一端側から延びた第２の平板部１３ｃとを有している。また、平板部１３ｂ，１３ｃの下端縁には、それぞれ当該下端縁に沿って板状に延びる長方形状の嵌合凸部１３ｄ，１３ｅが形成されている。そして、側壁部材１３は、嵌合凸部１３ｄ，１３ｅを主プレート１１の嵌合凹溝１１ｃ，１１ｄに係合（嵌合）して取り付けられている。なお、側壁部材１３は、主プレート１１の１つの角（図１および図６においては手前側の角）から所定の範囲、即ちシャッタプレート５１ｂを収納することができる範囲（一辺の３分の１程度の範囲）に立設されており、およそインナプレート２０を積み重ねた高さで形成されている。つまり、開口部３を開口させた状態でシャッタプレート５１ｂは側壁部材１３で隠れた状態となる。また、側壁部材１３のうち第１の平板部１３ｂと第２の平板部１３ｃとの間の角部には、上下に貫通して、ネジ挿通孔２５が形成されている。
【００１９】
主プレート１１の側壁部材１３に連なる一方の一辺１１ａ（図１における右手前側の一辺）から主プレート１１の中心に向かう扇形の部分は、一段低くなった凹部１４ａを形成し、外周縁にはリブ１２が形成されずに開口１４（図２（ａ）参照）となっている。これにより、磁気ヘッド６３がカートリッジケース２内に進入することを容易にしている。
主プレート１１の側壁部材１３に連なる他の一辺１１ｂ（図１における左手前側の一辺）の中央略３分の１の範囲は、後記する下ロータ５１のギヤ５１ｆが露出できるようにリブ１２が形成されずに開口１５（図２（ａ）参照）となっている。また、当該他の一辺１１ｂ側の側壁部材１３の外側には、開口１５に連なって下プレート１０の外周に沿った溝１３ａが形成されている。溝１３ａは、磁気ディスクドライブのシャッタオープンギヤ６７（図２参照）がギヤ５１ｆに係合すべく図２（ａ）の矢印Ａｒで示す方向へ進入して開口１５へ入り込む通路となっている。
【００２０】
前記したリブ１２は、主プレート１１の外周縁のうち、側壁部材１３、開口１４，１５を除く全周にわたり、上方へ突出するように形成されている。
【００２１】
主プレート１１の中央には、最下層の磁気ディスクメディア４１に設けられるセンタコア４２を露出させるための円形の開口部１６が形成されている。開口部１６の上側の縁には、下ロータ５１の中央に形成された中央開口部５１ｃが外嵌するリブ１７が全周にわたって形成されている。このリブ１７は、下ロータ５１を回動自在に支持する。
【００２２】
また、主プレート１１の上面（内面）において、下ロータ５１の外周縁に対応する位置には、円形状の下ロータ支持溝１８が形成されている。この下ロータ支持溝１８は、下ロータ５１の外周縁において下方へ向けて形成されるリブ５１ｄ（図９参照）と係合することで、下ロータ５１を磁気ディスクメディア４１と同軸で回動自在に支持する。
【００２３】
また、側壁部材１３が取り付けられる主プレート１１の角部を除いた三つ角部には上下に貫通して、雌ネジが形成されたネジ孔１９が形成されている。また、側壁部材１３が取り付けられる主プレートの角部には雌ねじが形成されたネジ孔１９′が形成されている。
【００２４】
インナプレート２０の主プレート２１は、およそ正方形をなしており、正方形の４つの角部のうち一つの角に相当する部分が磁気ディスクメディア４１より一回り大きい円弧の形状（円弧部２４）となっている。そして、円弧部２４に連なる一辺（図１における右手前側）に前記した切欠２３が扇形に形成されている。前記したリブ２２は、主プレート２１の外周縁のうち、円弧部２４および切欠２３を除く全周にわたり、上下に突出して形成されている。そして、主プレート２１の中央には、上方のセンタコア４２を露出して、下方のセンタコア４２との連結を可能にするための中央開口部２１ｃが形成されている。
【００２５】
また、主プレート２１の３つの角部には、上下に貫通してネジ９１のネジ軸部９１ａが挿通される孔２９が形成されている。
【００２６】
上プレート３０は、下プレート１０とおよそ対称に形成されている。図８に示すように、上プレート３０は、およそ正方形の主プレート３１に、前記した凹部１４ａに対応する凹部３４と、リブ１７に対応するリブ３７と、下ロータ支持溝１８に対応する上ロータ支持溝３８が形成されている。なお、主プレート３１の中央に開口は形成されていない。
【００２７】
そして、主プレート３１の外周縁には、下方に突出するリブ３２が、凹部３４を除く全周にわたって形成されている。
【００２８】
また、主プレート３１の四つの角部には、ネジ９１のネジ軸部９１ａが貫通する孔３９が形成されている。
【００２９】
下ロータ５１は、およそ磁気ディスクメディア４１と同じリング状の下ロータプレート５１ａに中央開口部５１ｃ、切欠５１ｅ、リブ５１ｄ、およびギヤ５１ｆが形成されて構成されている。中央開口部５１ｃは、リブ１７に外嵌する円形に形成され、切欠５１ｅは、凹部１４ａに対応する扇形に形成される。また、リブ５１ｄは、下ロータ支持溝１８に対応して下ロータプレート５１ａの下面の外周縁に下方に向けて設けられている。また、下ロータプレート５１ａの外周縁には、ギヤ５１ｆと切欠５１ｅとの間に位置して円弧状に延びる下側シャッタ溝５１ｇが形成されている。
【００３０】
シャッタプレート５１ｂは、開口部３（図２（ａ）参照）とディスクスタック４０とを遮断する遮蔽部材であり、磁気ディスクメディア４１の積層高さに対応した高さで形成されている。ギヤ５１ｆは、シャッタ４（図２（ａ）参照）を、磁気ディスクカートリッジ１の外部から開閉操作するために係合される部分であり、下ロータプレート５１ａの外周に、シャッタプレート５１ｂに隣接して所定の範囲に形成されている。
【００３１】
上ロータ５２は、下ロータ５１とおよそ対称に構成されている。すなわち、下ロータプレート５１ａと同様な上ロータプレート５２ａからなり、上ロータプレート５２ａには、上プレート３０のリブ３７に外嵌する中央開口部５２ｃと、凹部３４に対応する切欠５２ｅと、上ロータ支持溝３８に対応するリブ５２ｄとが形成されている。また、上ロータプレート５２ａの外周縁の切欠５２ｅに隣接する部分には、下ロータ５１のシャッタプレート５１ｂに対応して、上側シャッタ溝５２ｂが形成されている。そして、上側シャッタ溝５２ｂと、シャッタプレート５１ｂの上端縁が係合すると共に、下側シャッタ溝５１ｇと、シャッタプレート５１ｂの下端縁が係合することにより、下ロータ５１と上ロータ５２は一体に回動するようになっている。
【００３２】
上ロータ５２は、中央開口部５２ｃが上プレート３０のリブ３７に外嵌するとともにリブ５２ｄが上ロータ支持溝３８に係合することで上プレート３０に回動自在に支持されている。なお、上ロータ５２は、係止部材５３により上プレート３０からの脱落が防止されている。係止部材５３は、リブ３７（図８参照）に内挿される筒部５３ａと、筒部５３ａの一端に形成されたフランジ５３ｂを有し、筒部５３ａが上ロータ５２の下側から中央開口部５２ｃに挿通され、リブ３７に超音波溶着または接着剤などにより固定されている。
【００３３】
図１０に示す拡大断面図のように、下ロータ５１の上面、インナプレート２０の上下の両面、および上ロータ５２の下面は、磁気ディスクメディア４１と対向する面であり、それぞれ磁気ディスクメディア４１に対向する部分にわたってライナ４９が貼り付けられている。
【００３４】
ライナ４９は、例えばポリエステル繊維やレーヨン／ポリエステル混紡繊維などの不織布などからなる。
【００３５】
次に、下プレート１０と、インナプレート２０と、上プレート３０の積層構造について説明する。
【００３６】
下プレート１０のリブ１２は、図１０に示すように内側が外側に対して一段高く形成されて雄型段部１２ａを形成している。そして、インナプレート２０のリブ２２は、最外周で下方に突出した雌型段部２２ａを形成しており、雄型段部１２ａの外周と雌型段部２２ａの内周が嵌合可能になっている。また、ネジ９１（図１参照）により下プレート１０、インナプレート２０、および上プレート３０を締結したときには、雄型段部１２ａの上面と、インナプレート２０の下面の対応する部分が密着する設定となっている。このように、下プレート１０のリブ１２と、インナプレート２０のリブ２２は、いわゆる印籠嵌合しているため、外部からカートリッジケース２内への塵埃の侵入が防止されている。
【００３７】
同様にして、インナプレート２０同士、およびインナプレート２０と上プレート３０も印籠嵌合により積層されている。すなわち、インナプレート２０の上側は、内側が一段高くなった雄型段部２２ｂが形成され、上プレート３０のリブ３２は、最外周が一段下側に突出した雌型段部３２ａが形成されている。そして、インナプレート２０の雄型段部２２ｂと、上に隣接するインナプレート２０の雌型段部２２ａが印籠嵌合し、また、インナプレート２０の雄型段部２２ｂと、上プレート３０の雌型段部３２ａが印籠嵌合して積層されている。このようにして、リブ１２，２２，３２は互いに印籠嵌合して、外部からカートリッジケース２へ塵埃が入ることを防止している。また、下プレート１０、インナプレート２０、上プレート３０の積層と同時にカートリッジケース２の側壁部材が構成される。
【００３８】
また、前記した雌型段部２２ａおよび雄型段部２２ｂは、ともに主プレート２１からライナ４９の厚みより高く突出している。そのため、インナプレート２０にライナ４９を貼り付けてアセンブリにした後に、このアセンブリを作業台などに置いたとしても、ライナ４９が作業台に接することが無く、したがってライナ４９が塵埃などで汚染されることがない。
【００３９】
このようなインナプレート２０の積層によるカートリッジケース２の構成は、磁気ディスクメディア４１の枚数の変更を容易にする。側壁部材１３の高さ変更や、シャッタプレート５１ｂの高さ変更は要するが、主としてインナプレート２０の枚数を変更するだけで、カートリッジケース２内に形成される磁気ディスクメディア４１の収容部の数を変更できるからである。
【００４０】
次に、磁気ディスクメディア４１およびその積層構造について説明する。
磁気ディスクメディア４１は、例えばポリエステルなどの樹脂シートに磁性塗料を両面に塗布したものである。
【００４１】
図１１に示すように、センタコア４２は、金属板をプレスにより絞り成形して略ハット状にしたものである。すなわち、主として円形の底板４２ａと、底板４２ａの外周縁から立ち上がる低い円筒状の側壁部材４２ｂと、側壁部材４２ｂの上端から外径方向に広がるフランジ４２ｃとから構成されている。底板４２ａの中心には、センタホール４２ｄが形成され、周縁部にはセンタホール４２ｄを中心に６０°間隔で６つの小孔４２ｅが形成されている。
【００４２】
スペーサ４３は、隣接するセンタコア４２の間に介装されて、センタコア４２同士の間隔を保持するとともに、隣接するセンタコア４２相互間の回転を係止して、積層された磁気ディスクメディア４１が一体になって回転するように機能する。スペーサ４３は、樹脂をリング状に成形した本体部４３ａと、本体部４３ａに圧入された金属製のピン４３ｂとから構成される。本体部４３ａには、ピン４３ｂが圧入される小径孔部４３ｃと、小径孔部４３ｃと同軸で僅かに大径である大径孔部４３ｄとからなる貫通孔ｈが、センタコア４２の小孔４２ｅと対応する位置に６つ形成されている。この６つの貫通孔ｈは、隣接するもの同士の上下が逆になっている。つまり、大径孔部４３ｄが上側に位置する貫通孔ｈ１の両隣の貫通孔ｈ２は、大径孔部４３ｄが下側に位置するように配置されている。
【００４３】
各小径孔部４３ｃには、上側と下側からピン４３ｂが圧入され、ピン４３ｂの一端は大径孔部４３ｄと小径孔部４３ｃの境目に位置し、他端は小径孔部４３ｃの外側へ突出している。大径孔部４３ｄは、隣接するスペーサ４３のピン４３ｂの先端の逃げとしての機能を果たす。
【００４４】
このようなスペーサ４３は、図９に示すように、隣接するセンタコア４２の間に介装される。スペーサ４３の下側に突出したピン４３ｂは、スペーサ４３の下側のセンタコア４２の小孔４２ｅに入り、下側のセンタコア４２との相対回転を係止する。下側のセンタコア４２のさらに下にスペーサ４３がある場合には、下側のスペーサ４３における大径孔部４３ｄに入り込むことで、スペーサ４３のセンタコア４２に対する浮き上がりを防止している。スペーサ４３の上側に突出したピン４３ｂは、スペーサ４３の上側のセンタコア４２の小孔４２ｅに入り、上側のセンタコア４２との相対回転を係止する。上側のセンタコア４２のさらに上にスペーサ４３がある場合には、ピン４３ｂの先端は、上側のスペーサ４３における大径孔部４３ｄに入り込む。
【００４５】
なお、最上層のセンタコア４２は、上側に回転係止すべきセンタコアが無いため、その上には下側にのみピン４３ｂを突出させた、厚みの薄いトップスペーサ４３′が配置される。
【００４６】
以上のように積層された磁気ディスクメディア４１、つまりディスクスタック４０は、連結軸４４、ベアリングボール４５、圧縮コイルばね４６、およびセンタプレート４７により、安定した回転支持がなされている。
【００４７】
図１０に示すように、連結軸４４は、積層されたセンタコア４２の相互間の中心の振れを少なくするとともに、ベアリングボール４５および圧縮コイルばね４６を保持するためのものであり、軸部４４ａ、ボール保持部４４ｂ、およびばね保持部４４ｃからなる。軸部４４ａは、センタコア４２のセンタホール４２ｄに挿通可能な円柱形状からなる。ボール保持部４４ｂは、軸部４４ａの上端に上側に開口した有底円筒状に形成されている。ボール保持部４４ｂの深さは、ベアリングボール４５の半径より大きく、そのためベアリングボール４５がボール保持部４４ｂに安定して保持される。ばね保持部４４ｃは、ボール保持部４４ｂの外径側に有底円筒を伏せた形状からなり、軸部４４ａとばね保持部４４ｃの間の円筒状の空間に圧縮コイルばね４６が配置される。なお、連結軸４４の長さは任意的であるが、本実施形態では、下から２層目のセンタコア４２まで届く長さであり、最下層のセンタコア４２のセンタホール４２ｄは、磁気ディスクドライブのスピンドル６５が進入できるように開いている。
【００４８】
センタプレート４７は、上プレート３０の内面の中心、つまり、リブ３７の内側の平面部分に貼り付けられた滑り部材である。センタプレート４７は、例えば、ポリオキシメチレン樹脂、超高分子量ポリエチレンなどの滑り性と耐摩耗性に優れた材料から構成することができる。
【００４９】
ベアリングボール４５は、例えばボールベアリングに使用される鋼製の球体からなるが、滑り性、耐摩耗性に優れた樹脂、例えばポリテトラフルオロエチレン、ポリオキシメチレン樹脂などにより構成しても良い。ベアリングボール４５は、連結軸４４のボール保持部４４ｂ内に配置されて、ボール保持部４４ｂの底面および上プレート３０の内面の中心、つまりセンタプレート４７と点接触により当接して、ディスクスタック４０を回転支持する。
【００５０】
圧縮コイルばね４６は、一端（上端）が連結軸４４のばね保持部４４ｃに保持され、他端（下端）が最上層のセンタコア４２の上面に当接して、積層されたセンタコア４２を下プレート１０側、つまり磁気ディスクドライブのスピンドル６５側へ付勢している。これにより、センタコア４２は、カートリッジケース２の中でがたつくことがなく、磁気ディスクメディア４１の回転時の振れが防止される。
【００５１】
次に、側壁部材１３およびシャッタプレート５１ｂの取り付け方法について説明する。
まず、側壁部材１３の嵌合凸部１３ｄ，１３ｅを嵌合凹溝１１ｃ，１１ｄに嵌合（係合）し、下ロータ５１のリブ５１ｄが下ロータ支持溝１８内に嵌るように下ロータ５１を下プレート１０上に載置する。次に、シャッタプレート５１ｂの下端縁を下ロータ５１の下側シャッタ溝５１ｇ内に係合する。次に、前記のように下ロータ５１上に、磁気ディスクメディア４１が取り付けられた各インナプレート２０を順次積層する。次に、係止部材５３の筒部５３ａを上ロータ５２の中央開口部５２ｃに挿通するとともに、この筒部５３ａを上プレート３０のリブ３７に内挿して上プレート３０に上ロータ５２を取り付けて固着する。そして、次に、シャッタプレート５１ｂの上端縁を、上ロータ５２の上側シャッタ溝５２ｂ内に係合するように位置合わせした状態で、上ロータ５２をインナプレート２０上に載置し、シャッタプレート５１を上ロータ５２に固着する。これにより、シャッタプレート５１を介して下ロータ５１と上ロータ５２とが一体に回動可能に構成される。そして、最後にネジ９１をネジ孔１９に締結することにより、側壁部材１３を下プレート１０と上プレート３０との間で固定するとともに、シャッタプレート５１ｂを下ロータ５１と上ロータ５２との間で固定する。
【００５２】
このように、本実施形態では、側壁部材１３を下プレート１０と上プレート３０に対して係合させて取り付けるとともに、シャッタプレート５１ｂを下ロータ５１と上ロータ５２に対して係合させて取り付ける構成としたので、磁気ディスクメディア４１の枚数を変更したカートリッジケース２を構成する際には、側壁部材１３およびシャッタプレート５１ｂを磁気ディスクメディア４１の積層枚数に対応した高さのものに変更することで行うことができ、磁気ディスクメディア４１の枚数に対応したカートリッジケース２を最小限の部品変更で構成することができる。
【００５３】
例えば、磁気ディスクカートリッジ１の記憶容量を増やすために磁気ディスクメディア４１を例えば５枚から９枚に変更する場合には、図３、図４に示すように、前記したシャッタプレート５１ｂおよび側壁部材１３よりも高さ寸法の大きなシャッタプレート５１ｂ′および側壁部材１３′を用意し、シャッタプレート５１ｂ′の下端縁を下ロータ５１の下側シャッタ溝５１ｇ（図５参照）内に係合するとともに、シャッタプレート５１ｂ′の上端縁を上ロータ５２の上側シャッタ溝５２ｂ（図１参照）内に係合する。そして、側壁部材１３′の嵌合凸部１３ｄ′，１３ｅ′を嵌合凹溝１１ｃ，１１ｄに嵌合することにより、磁気ディスクメディア４１の枚数に対応した厚みを有するカートリッジケース２′（図７参照）を形成することができる。したがって、磁気ディスクメディア４１の枚数を変更する場合でもカートリッジケース２全体を交換する必要がなく、カートリッジケース２を最小限の部品変更で構成することができる。
【００５４】
また、磁気ディスクカートリッジ１に対し、データの記録、再生を行う磁気ディスクドライブは、図９に示すように、スピンドル６５により、ディスクスタック４０を回転させる。スピンドル６５は、磁力により最下層のセンタコア４２を吸着するとともに、センタコア４２のセンタホール４２ｄに入り込むことで、ディスクスタック４０との軸合わせをする。この際、スピンドル６５が、圧縮コイルばね４６の付勢力に抗してセンタコア４２を若干持ち上げるので、図９、図１０に示すように、各磁気ディスクメディア４１は、下ロータ５１とインナプレート２０、上下のインナプレート２０同士、またはインナプレート２０と上ロータ５２の各間に形成される空間の中央に位置する。
【００５５】
磁気ディスクドライブの磁気ヘッド６３は、スイングアーム６２の先端に設けられている。磁気ヘッド６３は、各磁気ディスクメディア４１の両面に配置されている。
【００５６】
以上のような磁気ディスクカートリッジ１は、図２（ａ）に示すように、不使用時は、シャッタ４を図中左回りに回動させて開口部３を閉塞しておくことで、内部への塵埃の侵入を防止することができる。そして、使用時には、図２（ｂ）に示すように磁気ディスクドライブに装填する際に、磁気ディスクドライブのシャッタオープンギヤ６７が、溝１３ａに嵌って案内されてギヤ５１ｆと噛合し、シャッタ４を図中右回りへ回動させる。
【００５７】
そして、スピンドル６５が回転することで、ディスクスタック４０が回転する。その後、アクチュエータ６１により駆動されることでスイングアーム６２が回動して、磁気ヘッド６３が磁気ディスクメディア４１の上に移動される。
【００５８】
磁気ヘッド６３で、磁気ディスクメディア４１にデータを記録する場合には、図示せぬ制御回路により磁気ヘッド６３へ信号を送ることで磁気ディスクメディア４１にデータが記録され、磁気ディスクメディア４１からデータを再生する場合には、磁気ディスクメディア４１上の磁界変化を磁気ヘッド６３で検知して、信号が出力される。
【００５９】
このとき、ライナ４９が適宜磁気ディスクメディア４１に触れることで磁気ディスクメディア４１上の塵埃が除去される。
【００６０】
磁気ディスクカートリッジ１の使用後は、磁気ヘッド６３がカートリッジケース２から退避した後、磁気ディスクカートリッジ１をイジェクトすることで、シャッタオープンギヤ６７によりギヤ５１ｆが駆動されてシャッタ４が開口部３を閉じる。
【００６１】
このように磁気ディスクカートリッジ１は、複数の磁気ディスクメディア４１を有することから、複数の磁気ヘッド６３で同時にデータにアクセスすることで、データ転送を高速で行うことができる。
【００６２】
また、インナプレート２０を積み上げていくことでカートリッジケース２が構成されるために、磁気ディスクメディア４１を異なる枚数にする仕様変更が容易である。そして、磁気ディスクカートリッジ１の組立時には、磁気ディスクメディア４１をインナプレート２０や、下プレート１０に組み付けた下ロータ５１上に載せて取り扱うことができるため、磁気ディスクメディア４１に触れる機会を減らし、品質をより安定させることができる。
【００６３】
そして、インナプレート２０は、下プレート１０もしくはインナプレート２０の上に積層され、固定されていることから、磁気ディスクメディア４１との平行性を高くでき、磁気ディスクメディア４１の回転を安定させることができ、磁気ディスクメディア４１の高速回転、ひいてはデータ転送の高速化も可能となる。
【００６４】
さらに、本実施形態では、側壁部材１３およびシャッタプレート５１ｂをカートリッジケース２に対して係合可能に取り付けることができる。したがって、高さ方向の寸法が異なる側壁部材１３およびシャッタプレート５１ｂを予め複数種類用意しておくことにより、磁気ディスクメディア４１の枚数に対応したカートリッジケース２を最小限の部品変更で構成することができる。
【００６５】
以上、本発明の実施形態について説明したが、本発明は前記した実施形態に限定されることなく適宜変形して実施することが可能である。例えば、実施形態においては、記録ディスクメディアとして磁気ディスクメディア４１を適用したが、光によりデータを記録する光ディスクメディアの場合にも同様に適用することができる。
【図面の簡単な説明】
【００６６】
【図１】一実施形態に係る磁気ディスクカートリッジの分解斜視図である。
【図２】一実施形態に係る磁気ディスクカートリッジの外観斜視図の（ａ）シャッタを閉じた状態、および（ｂ）シャッタを開けた状態を示す。
【図３】高さ方向の寸法が互いに異なるシャッタプレートを示す斜視図である。
【図４】高さ方向の寸法が互いに異なる側壁部材を示す斜視図である。
【図５】下ロータおよびシャッタプレートを示す分解斜視図である。
【図６】下プレートおよび側壁部材を示す分解斜視図である。
【図７】インナプレートを９枚積み重ねた状態を示す斜視図である。
【図８】上プレートの内面を示す斜視図である。
【図９】磁気ディスクドライブに装填した磁気ディスクカートリッジの図２（ｂ）におけるIX−IX断面図である。
【図１０】図９の部分拡大図である。
【図１１】磁気ディスクメディアの積層構造を示す分解斜視図である。
【符号の説明】
【００６７】
１      磁気ディスクカートリッジ
２，２′  カートリッジケース
３      開口部
４      シャッタ
１０    下プレート
１３，１３′  側壁部材
２０    インナプレート
２３    切欠
３０    上プレート
４０    ディスクスタック
４１    磁気ディスクメディア
５１    下ロータ
５１ｂ，５１ｂ′  シャッタプレート
５２    上ロータ
【図１】
2006092699.tif 000003
【図２】
2006092699.tif 000004
【図３】
2006092699.tif 000005
【図４】
2006092699.tif 000006
【図５】
2006092699.tif 000007
【図６】
2006092699.tif 000008
【図７】
2006092699.tif 000009
【図８】
2006092699.tif 000010
【図９】
2006092699.tif 000011
【図１０】
2006092699.tif 000012
【図１１】
2006092699.tif 000013